(57)【特許請求の範囲】
【請求項１】
上部構造物と下部構造物との間に設けられる免震装置の取付構造であって、
免震装置と上部構造物との間に設けられ、免震装置の上面に固定され、上部が開口して内周面にねじが切られた円筒状の下部支持部材と、この下部支持部材の上方において上部構造物の下面に固定され、下部が開口して内周面にねじが切られた円筒状の上部支持部材と、
外周面にねじが切られ、前記上部支持部材の下部の開口と前記下部支持部材の上部の開口とに上下方向に移動可能にねじ込まれた円柱状の可動部材とを備え、
前記下部支持部材内の下側または前記上部支持部材内の上側には、前記可動部材の進入を許容するための進入許容空間が確保してあり、
前記可動部材を回転して一端側を前記下部支持部材内または前記上部支持部材内にねじ込み、前記可動部材を前記下部支持部材または前記上部支持部材の進入許容空間に進入させることで、前記可動部材の他端側と前記上部支持部材または前記下部支持部材との間に、免震装置を交換するための作業空間を作り出すことができるようにしたことを特徴とする免震装置の取付構造。
【請求項２】
上部構造物と下部構造物との間に設けられる免震装置の取付構造であって、
免震装置と下部構造物との間に設けられ、下部構造物の上面に固定され、上部が開口して内周面にねじが切られた円筒状の下部支持部材と、この下部支持部材の上方において免震装置の下面に固定され、下部が開口して内周面にねじが切られた円筒状の上部支持部材と、
外周面にねじが切られ、前記上部支持部材の下部の開口と前記下部支持部材の上部の開口とに上下方向に移動可能にねじ込まれた円柱状の可動部材とを備え、
前記下部支持部材内の下側または前記上部支持部材内の上側には、前記可動部材の進入を許容するための進入許容空間が確保してあり、
前記可動部材を回転して一端側を前記下部支持部材内または前記上部支持部材内にねじ込み、前記可動部材を前記下部支持部材または前記上部支持部材の進入許容空間に進入させることで、前記可動部材の他端側と前記上部支持部材または前記下部支持部材との間に、免震装置を交換するための作業空間を作り出すことができるようにしたことを特徴とする免震装置の取付構造。
【請求項３】
前記可動部材の回転を防止するための回転防止部材を設けたことを特徴とする請求項１または２に記載の免震装置の取付構造。
【請求項４】
前記可動部材を回転操作するための回転用腕を設けたことを特徴とする請求項１〜３のいずれか一つに記載の免震装置の取付構造。
【請求項５】
請求項１〜４のいずれか一つに記載の免震装置の取付構造における免震装置を取り替える方法であって、
前記可動部材を回転して一端側を前記下部支持部材内または前記上部支持部材内にねじ込み、前記可動部材の他端側と前記上部支持部材または前記下部支持部材との間に作業空間を作り出し、この作業空間を利用して免震装置を撤去することを特徴とする免震装置の取替方法。
【発明の詳細な説明】
【技術分野】
【０００１】
本発明は、建物に設置される免震装置の取付構造および取替方法に関するものである。
【背景技術】
【０００２】
従来、建物に設置される免震装置が知られている。図６に示すように、従来の免震装置２は、基礎版等の躯体４とペデスタル６との間にボルト８ａ、プレート８ｂを介して取り付けられ、免震装置２は上下方向の動きが拘束されている。この構造において、建物荷重が掛かった状態で免震装置２を取り替えるには、免震装置２本体を解体してペデスタル６上から撤去し、この部分に新しい免震装置を据え付けるようにしていた。これに対し、予めジャッキアップ装置で躯体を持ち上げて免震装置の上方に隙間を作り、免震装置を交換する方法が知られている（例えば、特許文献１、２参照）。
【先行技術文献】
【特許文献】
【０００３】
【特許文献１】特開２００５−２２０９４７号公報
【特許文献２】特開２００８−１６３６３６号公報
【発明の概要】
【発明が解決しようとする課題】
【０００４】
ところで、上記の従来の免震装置を解体する交換方法では、免震装置を破壊するための作業手間を要する。また、上記の特許文献１、２に示される交換方法では、ジャッキアップ装置を取り付けるための作業手間を要する。この場合、工程数が増してコストを押し上げる問題や、解体に伴って産業廃棄物が発生する等の問題がある。このため、免震装置を容易に取り替えることができる技術の開発が望まれていた。
【０００５】
本発明は、上記に鑑みてなされたものであって、免震装置を容易に取り替えることができる免震装置の取付構造および取替方法を提供することを目的とする。
【課題を解決するための手段】
【０００６】
上記した課題を解決し、目的を達成するために、本発明の請求項１に係る免震装置の取付構造は、上部構造物と下部構造物との間に設けられる免震装置の取付構造であって、免震装置と上部構造物との間に設けられ、免震装置の上面に固定され、上部が開口して内周面にねじが切られた円筒状の下部支持部材と、この下部支持部材の上方において上部構造物の下面に固定され、下部が開口して内周面にねじが切られた円筒状の上部支持部材と、外周面にねじが切られ、前記上部支持部材の下部の開口と前記下部支持部材の上部の開口とに上下方向に移動可能にねじ込まれた円柱状の可動部材とを備え、前記下部支持部材内の下側または前記上部支持部材内の上側には、前記可動部材の進入を許容するための進入許容空間が確保してあり、前記可動部材を回転して一端側を前記下部支持部材内または前記上部支持部材内にねじ込み、前記可動部材を前記下部支持部材または前記上部支持部材の進入許容空間に進入させることで、前記可動部材の他端側と前記上部支持部材または前記下部支持部材との間に、免震装置を交換するための作業空間を作り出すことができるようにしたことを特徴とする。
【０００７】
また、本発明の請求項２に係る免震装置の取付構造は、上部構造物と下部構造物との間に設けられる免震装置の取付構造であって、免震装置と下部構造物との間に設けられ、下部構造物の上面に固定され、上部が開口して内周面にねじが切られた円筒状の下部支持部材と、この下部支持部材の上方において免震装置の下面に固定され、下部が開口して内周面にねじが切られた円筒状の上部支持部材と、外周面にねじが切られ、前記上部支持部材の下部の開口と前記下部支持部材の上部の開口とに上下方向に移動可能にねじ込まれた円柱状の可動部材とを備え、前記下部支持部材内の下側または前記上部支持部材内の上側には、前記可動部材の進入を許容するための進入許容空間が確保してあり、前記可動部材を回転して一端側を前記下部支持部材内または前記上部支持部材内にねじ込み、前記可動部材を前記下部支持部材または前記上部支持部材の進入許容空間に進入させることで、前記可動部材の他端側と前記上部支持部材または前記下部支持部材との間に、免震装置を交換するための作業空間を作り出すことができるようにしたことを特徴とする。
【０００８】
また、本発明の請求項３に係る免震装置の取付構造は、上述した請求項１または２において、前記可動部材の回転を防止するための回転防止部材を設けたことを特徴とする。
【０００９】
また、本発明の請求項４に係る免震装置の取付構造は、上述した請求項１〜３のいずれか一つにおいて、前記可動部材を回転操作するための回転用腕を設けたことを特徴とする。
【００１０】
また、本発明の請求項５に係る免震装置の取替方法は、上述した請求項１〜４のいずれか一つに記載の免震装置の取付構造における免震装置を取り替える方法であって、前記可動部材を回転して一端側を前記下部支持部材内または前記上部支持部材内にねじ込み、前記可動部材の他端側と前記上部支持部材または前記下部支持部材との間に作業空間を作り出し、この作業空間を利用して免震装置を撤去することを特徴とする。
【発明の効果】
【００１１】
本発明に係る免震装置の取付構造によれば、上部構造物と下部構造物との間に設けられる免震装置の取付構造であって、免震装置と上部構造物または下部構造物との間に設けられ、上部または下部が開口して内周面にねじが切られた円筒状の支持部材と、外周面にねじが切られ、前記支持部材の開口から上下方向に移動可能にねじ込まれた円柱状の可動部材とを備えたので、可動部材を回転して一端側を支持部材内にねじ込むことで可動部材の他端側に作業空間をすぐに作り出せる。この作業空間を利用すれば免震装置を容易に撤去することができる。また、撤去とは逆の手順で新しい免震装置を容易に取り付けることもできる。このため、免震装置を容易に取り替えることができるという効果を奏する。
【００１２】
また、本発明に係る免震装置の取替方法によれば、前記可動部材を回転して一端側を前記支持部材内にねじ込み、前記可動部材の他端側の上方または下方に作業空間を作り出し、この作業空間を利用して免震装置を撤去するので、免震装置を容易に撤去することができる。また、撤去とは逆の手順で新しい免震装置を容易に取り付けることもできる。このため、免震装置を容易に取り替えることができるという効果を奏する。
【図面の簡単な説明】
【００１３】
【図１】図１は、本発明に係る免震装置の取付構造の実施例を示す側断面図である。
【図２】図２は、本発明に係る免震装置の取替方法の手順１の側断面図である。
【図３】図３は、本発明に係る免震装置の取替方法の手順２の側断面図である。
【図４】図４は、本発明に係る免震装置の取替方法の手順３の側断面図である。
【図５】図５は、本発明に係る免震装置の取替方法の手順４の側断面図である。
【図６】図６は、従来の免震装置の取付構造の実施例を示す側断面図である。
【発明を実施するための形態】
【００１４】
以下に、本発明に係る免震装置の取付構造および取替方法の実施の形態を図面に基づいて詳細に説明する。なお、この実施例によりこの発明が限定されるものではない。
【００１５】
［免震装置の取付構造］
まず、本発明に係る免震装置の取付構造について説明する。図１に示すように、本発明に係る免震装置の取付構造１０は、基礎版等の建物躯体１２（上部構造物）と免震装置用ペデスタル１４（下部構造物）との間に設けられる免震装置１６の取付構造である。免震層１８は、免震装置１６と、円柱状の可動部材２０と、円筒状の下部支持部材２２および上部支持部材２４とから構成される。
【００１６】
免震装置１８は、円柱状の積層ゴムで構成されており、その上下面にはプレート２６、２８が設けられている。免震装置１８は、下面側のプレート２８を介して免震装置用ペデスタル１４にボルト３２で固定されている。また、上面側のプレート２６は下部支持部材２２の下面にボルト３０で固定されている。
【００１７】
下部支持部材２２は、プレート２６上面に固定され、上部が開口して内周面２２ａにねじが切られた円筒状の部材であり、可動部材２０を下側から支持するものである。また、上部支持部材２４は、建物躯体１２下面にボルト３４で固定され、下部が開口して内周面２４ａにねじが切られた円筒状の部材であり、可動部材２０を上側から支持するものである。
【００１８】
可動部材２０は、外周面２０ａにねじが切られており、下部支持部材２２の開口および上部支持部材２４の開口にねじ込まれている。下部支持部材２２内の下側には、可動部材２０の進入を許容するための進入許容空間３６が確保してある。可動部材２０は、上下方向に延びる回転軸Ｃの周りに回転可能であり、上記ねじに沿って回転しながら下部支持部材２２および上部支持部材２４の間を上下方向に移動可能である。
【００１９】
また、可動部材２０の外周には、可動部材２０の回転を防止するための回転防止部材３８が着脱自在に設けてあり、免震装置１６の取替操作時以外は可動部材２０が安易に回転しないようにしている。この回転防止部材３８は、複数の円弧状プレートからなり、可動部材２０の外周に巻回固定された環状部材４０と、下部支持部材２２の上端２２ｂとに対してそれぞれボルト４２、４４で固定してある。
【００２０】
また、図２に示すように、回転防止部材３８を可動部材２０から取り外した場合には、水平棒状の回転用腕４８を、環状部材４０側のボルト孔４６に装着可能としてある。この回転用腕４８を回転操作することにより、可動部材２０を容易に上下移動させることができる。なお、回転用腕４８は、環状部材４０側のボルト孔４６に装着可能に構成する代わりに、元から回転防止部材３８と干渉しない位置に固定した構成としても構わない。
【００２１】
図３に示すように、可動部材２０を回転して下端側（一端側）を下部支持部材２２内にねじ込むことで可動部材２０の上端側（他端側）の上方に作業空間５０をすぐに作り出せる。この作業空間５０を撤去作業用のスペースとして利用すれば免震装置１６を容易に撤去することができる。また、撤去とは逆の手順で新しい免震装置を取り付け、再設定することも容易である。
【００２２】
このため、本発明によれば、免震装置を解体することなく、免震装置を容易に取り替えることができる。したがって、免震装置の交換作業において工程短縮やコストダウンが図れる。また、免震装置の破壊を伴わないので産業廃棄物の発生を抑制することができるとともに、免震装置の再利用化の途を開くこともできる。
【００２３】
上記の実施の形態において、可動部材２０、下部支持部材２２、上部支持部材２４を免震装置１６と建物躯体１２（上部構造物）との間に設ける場合について説明したが、このようにする代わりに、可動部材２０、下部支持部材２２、上部支持部材２４を免震装置１６とペデスタル１４（下部構造物）との間に設ける構成としてもよい。この場合、免震装置１６の下面側に上部支持部材２４を配置し、この下方に可動部材２０、下部支持部材２２を配置してペデスタル１４に固定することができる。
【００２４】
また、上記の実施の形態においては、進入許容空間３６を下部支持部材２２内に設ける場合について説明したが、このようにする代わりに、進入許容空間３６を上部支持部材２４内の上側に設けてもよく、可動部材２２を上部支持部材２４側に進入させることで免震装置１６を交換するための作業空間５０を形成するようにしてもよい。
【００２５】
［免震装置の取替方法］
次に、本発明に係る免震装置の取替方法について説明する。
まず、免震層の撤去手順について説明する。図１に示す取付構造１０において、ボルト４２、４４を取り外して回転防止部材３８を撤去する。
【００２６】
次いで、図２に示すように、可動部材２０の環状部材４０に回転用腕４８を装着する。この回転用腕４８を回転操作して可動部材２０を回転軸Ｃの周りに回転させる。そして、図３に示すように、可動部材２０の下端側（一端側）を下部支持部材２２内の進入許容空間３６にねじ込んで下方に移動させる。これにより、可動部材２０の上端側（他端側）の上方に作業空間５０を容易に作り出すことができる。
【００２７】
続いて、上部支持部材２４を建物躯体１２から撤去すれば、図４に示すような状態となる。そしてこの状態において、作業空間５０を撤去作業用のスペースとして利用することにより、可動部材２０、下部支持部材２２、免震装置１６一式を一体としてテーブルリフター等で撤去すれば、図５に示すような状態となる。
【００２８】
なお、新しい免震装置をこの免震層に取り付ける場合には、上記の撤去手順と逆の手順で取り付ければよい。
【００２９】
このように、本発明に係る免震装置の取替方法によれば、免震装置を解体することなく、免震装置を容易に取り替えることができる。したがって、免震装置の交換作業において工程短縮やコストダウンが図れる。また、免震装置の破壊を伴わないので産業廃棄物の発生を抑制することができるとともに、免震装置の再利用化の途を開くことができる。
【００３０】
以上説明したように、本発明に係る免震装置の取付構造によれば、上部構造物と下部構造物との間に設けられる免震装置の取付構造であって、免震装置と上部構造物または下部構造物との間に設けられ、上部または下部が開口して内周面にねじが切られた円筒状の支持部材と、外周面にねじが切られ、前記支持部材の開口から上下方向に移動可能にねじ込まれた円柱状の可動部材とを備えたので、可動部材を回転して一端側を支持部材内にねじ込むことで可動部材の他端側に作業空間をすぐに作り出せる。この作業空間を利用すれば免震装置を容易に撤去することができる。また、撤去とは逆の手順で新しい免震装置を容易に取り付けることもできる。このため、免震装置を容易に取り替えることができる。
【００３１】
また、本発明に係る免震装置の取替方法によれば、前記可動部材を回転して一端側を前記支持部材内にねじ込み、前記可動部材の他端側の上方または下方に作業空間を作り出し、この作業空間を利用して免震装置を撤去するので、免震装置を容易に撤去することができる。また、撤去とは逆の手順で新しい免震装置を容易に取り付けることもできる。このため、免震装置を容易に取り替えることができる。
【産業上の利用可能性】
【００３２】
以上のように、本発明に係る免震装置の取付構造および取替方法は、建物に設置される免震装置に有用であり、特に、免震装置を破壊することなく容易に交換するのに適している。
【符号の説明】
【００３３】
１０  免震装置の取付構造
１２  建物躯体（上部構造物）
１４  ペデスタル（下部構造物）
１６  免震装置
１８  免震層
２０  可動部材
２２  下部支持部材（支持部材）
２４  上部支持部材（支持部材）
２６，２８  プレート
３０，３２，３４，４２，４４  ボルト
３６  進入許容空間
３８  回転防止部材
４０  環状部材
４８  回転用腕
５０  作業空間
【図１】
0005668977.tif 000002
【図２】
0005668977.tif 000003
【図３】
0005668977.tif 000004
【図４】
0005668977.tif 000005
【図５】
0005668977.tif 000006
【図６】
0005668977.tif 000007